(57)【要約】【課題】押出ヘッドの交換時に、容易に短時間で効率よく調心作業を行う。【解決手段】押出ヘッド１は、被覆樹脂を導入する第１流路９を備えた押出ヘッド本体部１１のニップル取付部７にニップル部５を着脱可能に取り付け、ダイス部２９をダイス装着部に着脱可能に装着したダイスホルダ３１を前記押出ヘッド本体部１１に取り付けることによって、前記ニップル部５とその前方側に位置するダイス部２９とから前記第１流路９に連通する第２流路３７を形成している。さらに、押出ヘッド本体部１１の内部に調心リング３３を調心可能に取り付け、この調心リング３３の内周に前記ダイスホルダ３１の外周を嵌脱可能に位置決め装着しているので、最初に調心リング３３を一且調心するだけで、次以降の押出ヘッド交換時には、前記ダイスホルダ３１を調心リング３３に嵌入するだけで済み、押出ヘッド１を交換する都度、調心作業を行う必要がなくなる。【選択図】図１
2006035824.tif 000002
【特許請求の範囲】
【請求項１】
被覆樹脂を導入する第１流路を備えると共にニップル部を着脱可能に取付け位置決めするニップル取付部を備えた押出ヘッド本体部と、
前記ニップル部の前方側に位置して前記第１流路に連通する第２流路を形成すると共に前記第２流路で導入される被覆樹脂を流出して前記ニップル部から送出される心線に被覆するダイス孔を備えたダイス部と、
このダイス部を着脱可能に装着したダイスホルダと、
このダイスホルダの外周を嵌脱可能に位置決めすると共に前記押出ヘッド本体部の内部に調心自在に設けた調心リングと、
を備えてなることを特徴とする押出ヘッド。
【請求項２】
前記ダイスホルダの外周を、前記調心リングの内周にテーパ面を介して嵌脱自在に設けてなることを特徴とする請求項１記載の押出ヘッド。
【請求項３】
前記ニップル取付部に、前記ニップル部を位置決め保持するテーパ面を備えたニップルホルダを取り付けると共に前記テーパ面を介して前記ニップル部を嵌脱自在に設けてなることを特徴とする請求項１又は２記載の押出ヘッド。
【請求項４】
前記調心リングを、前記押出ヘッド本体部に円周方向でほぼ均等に少なくとも３箇所以上に配置した調心用部材で調心可能に設けてなることを特徴とする請求項１，２又は３記載の押出ヘッド。
【請求項５】
被覆樹脂を導入する第１流路を備えた押出ヘッド本体部のニップル取付部にニップル部を着脱可能に取り付け、ダイス部をダイス装着部に着脱可能に装着したダイスホルダを前記押出ヘッド本体部に取り付けることによって、前記ニップル部とその前方側に位置するダイス部とから前記第１流路に連通する第２流路を形成した押出ヘッドにおける調心用治具であって、
前記ニップル取付部に着脱可能なニップル心出し部と、このニップル心出し部との位置関係で前記ダイスホルダを心出し位置決めすべく前記ダイスホルダのダイス装着部に挿脱可能なダイスホルダ位置決め部と、を備えてなることを特徴とする押出ヘッドにおける調心用治具。
【請求項６】
前記ニップル取付部に、前記ニップル部を位置決め保持するテーパ面を備えたニップルホルダを取り付けると共に、前記ニップル心出し部を前記テーパ面に挿脱可能に設けてなることを特徴とする請求項５記載の押出ヘッドにおける調心用治具。
【請求項７】
被覆樹脂を導入する第１流路を備えた押出ヘッド本体部のニップル取付部にニップル部を着脱可能に取り付け、ダイス部をダイス装着部に着脱可能に装着したダイスホルダを前記押出ヘッド本体部に取り付けることによって、前記ニップル部とその前方側に位置するダイス部とから前記第１流路に連通する第２流路を形成した押出ヘッドにおける調心方法において、
前記押出ヘッド本体部の内部に調心リングを調心可能に取り付け、この調心リングの内周に前記ダイスホルダの外周を嵌脱可能に位置決め装着し、
最初は、前記ニップル部から送出される心線に第２流路で導入される被覆樹脂を被覆しながら、前記調心リングを調整して調心し、
次回以降に押出ヘッドを交換するときは、前記ダイスホルダを押出ヘッド本体部から取り外してダイス部を交換すると共に前記ニップル部を交換した後、前記ダイスホルダを調心リングに嵌入して位置決め装着することを特徴とする押出ヘッドにおける調心方法。
【請求項８】
被覆樹脂を導入する第１流路を備えた押出ヘッド本体部のニップル取付部にニップル部を着脱可能に取り付け、ダイス部をダイス装着部に着脱可能に装着したダイスホルダを前記押出ヘッド本体部に取り付けることによって、前記ニップル部とその前方側に位置するダイス部とから前記第１流路に連通する第２流路を形成した押出ヘッドにおける調心方法において、
前記ニップル取付部に着脱可能なニップル心出し部と、このニップル心出し部との位置関係で前記ダイスホルダを心出し位置決めすべく前記ダイスホルダのダイス装着部に挿脱可能なダイスホルダ位置決め部と、を備えた調心用治具を用いて、前記ニップル心出し部を前記ニップル取付部に装着すると共に前記ダイスホルダ位置決め部をダイスホルダのダイス装着部に挿入せしめることにより、ダイスホルダを位置決めした後、前記調心リングを前記押出ヘッド本体部の内部に位置固定して調心し、
前記調心用治具を取り外した後に、前記ニップル取付部にニップル部を装着すると共に前記ダイスホルダのダイス装着部にダイス部を装着することを特徴とする押出ヘッドにおける調心方法。
【請求項９】
次回以降に押出ヘッドを交換するときは、前記ダイスホルダを押出ヘッド本体部から取り外してダイス部を交換すると共に前記ニップル部を交換した後、前記ダイスホルダを調心リングに嵌入して位置決め装着することを特徴とする請求項８記載の押出ヘッドにおける調心方法。
【請求項１０】
前記ニップル取付部に、前記ニップル部を位置決め保持するテーパ面を備えたニップルホルダを取り付けたときは、前記調心用治具のニップル心出し部が前記テーパ面に挿脱可能であることを特徴とする請求項８又は９記載の押出ヘッドにおける調心方法。
【発明の詳細な説明】
【技術分野】
【０００１】
この発明は、例えば心線の外周に被覆樹脂を被覆する押出ヘッド及び押出ヘッドにおける調心用治具、並びに押出ヘッドにおける調心方法に関する。
【背景技術】
【０００２】
図６及び図７を参照するに、従来、例えば通信ケーブル等の導体などの心線の外周に被覆樹脂を被覆する押出ヘッド１０１としては、前記心線を通過せしめる心線挿通穴１０３と、この心線挿通穴１０３の前端部にニップル部１０５を位置決め装着するニップル取付部１０７と、溶融した被覆樹脂をニップル取付部１０７の外周側に導入する第１流路１０９と、を備えた押出ヘッド本体部１１１が設けられている。
【０００３】
また、ニップル部１０５は前記心線を通過せしめるニップル孔１１３を備えており、前記ニップル取付部１０７に装着されて所定位置に位置決めされる。
【０００４】
また、前記押出ヘッド本体部１１１の前端には、ダイスヘッド本体部１１５が複数のボルト１１７で取り付けられており、このダイスヘッド本体部１１５には、前記ニップル部１０５の前方側（図６において右方側）に位置して前記心線に被覆樹脂を被覆するダイス孔１１９を備えたダイス部１２１と、このダイス部１２１を位置決め装着するダイスホルダ１２３と、このダイスホルダ１２３を外周の４箇所からニップル孔１１３の中心に向けて位置決めするための４本の調心ボルト１２５と、が備えられている。
【０００５】
なお、前記ニップル部１０５の外周面と前記ダイス部１２１の内周面の間には前記第１流路１０９に連通して第１流路１０９から流れる被覆樹脂をダイス孔１１９に流入せしめる第２流路１２７が形成される。
【０００６】
心線が心線挿通穴１０３の中を通過してニップル部１０５のニップル孔１１３から前方へ送り出される。これと同時に、溶融した被覆樹脂が第１流路１０９から第２流路１２７を経てダイス部１２１のダイス孔１１９から前方に押し出されて、前記被覆樹脂が心線の外周に被覆されることになる。
【０００７】
このとき、被覆樹脂が心線の円周方向に均一な厚さで被覆されるためには、ダイス部１２１のダイス孔１１９がニップル部１０５のニップル孔１１３と同じ中心位置となるように調心されている必要がある。
【０００８】
ニップル部１０５とダイス部１２１との調心を行う際には、ダイスホルダ１２３がダイスヘッド本体部１１５の内部に間隙を介してダイスヘッド本体部１１５の円周方向にほぼ等間隔で配置された４本の調心ボルト１２５で保持されており、被覆樹脂を流しながら４本の調心ボルト１２５で調整してニップル部１０５のニップル孔１１３に対するダイス部１２１のダイス孔１１９の位置の調心が行われていた（例えば、特許文献１参照）。
【特許文献１】特開平２−２５２５２３号公報
【発明の開示】
【発明が解決しようとする課題】
【０００９】
ところで、従来、心線に被覆樹脂を被覆する押出成形においては、例えば心線や被覆樹脂の種類を切り換えるために、ライン製造を停止して新たな種類の押出用の部材を交換するための段取りを行う必要がある。特に、押出ヘッド１０１においては、変更される通信ケーブルの形状や直径に応じた押出ヘッド１０１に交換する必要がある。
【００１０】
上述した従来の押出ヘッド１０１の場合は、新たな交換の都度、被覆樹脂を流しながらダイスホルダ１２３を４本の調心ボルト１２５で調整してニップル部１０５とダイス部１２１との調心を行っているので、調心作業に時間がかかると共に前記調心には熟練を要するという問題点があった。したがって、上記の押出ヘッド１０１の交換作業は、押出成形の大幅な稼働率低下の要因になっていた。
【００１１】
この発明は上述の課題を解決するためになされたものである。
【課題を解決するための手段】
【００１２】
この発明の押出ヘッドは、被覆樹脂を導入する第１流路を備えると共にニップル部を着脱可能に取付け位置決めするニップル取付部を備えた押出ヘッド本体部と、
前記ニップル部の前方側に位置して前記第１流路に連通する第２流路を形成すると共に前記第２流路で導入される被覆樹脂を流出して前記ニップル部から送出される心線に被覆するダイス孔を備えたダイス部と、
このダイス部を着脱可能に装着したダイスホルダと、
このダイスホルダの外周を嵌脱可能に位置決めすると共に前記押出ヘッド本体部の内部に調心自在に設けた調心リングと、
を備えてなることを特徴とするものである。
【００１３】
また、この発明の押出ヘッドは、前記押出ヘッドにおいて、前記ダイスホルダの外周を、前記調心リングの内周にテーパ面を介して嵌脱自在に設けてなることが好ましい。
【００１４】
また、この発明の押出ヘッドは、前記押出ヘッドにおいて、前記ニップル取付部に、前記ニップル部を位置決め保持するテーパ面を備えたニップルホルダを取り付けると共に前記テーパ面を介して前記ニップル部を嵌脱自在に設けてなることが好ましい。
【００１５】
また、この発明の押出ヘッドは、前記押出ヘッドにおいて、前記調心リングを、前記押出ヘッド本体部に円周方向でほぼ均等に少なくとも３箇所以上に配置した調心用部材で調心可能に設けてなることが好ましい。
【００１６】
この発明の押出ヘッドにおける調心用治具は、被覆樹脂を導入する第１流路を備えた押出ヘッド本体部のニップル取付部にニップル部を着脱可能に取り付け、ダイス部をダイス装着部に着脱可能に装着したダイスホルダを前記押出ヘッド本体部に取り付けることによって、前記ニップル部とその前方側に位置するダイス部とから前記第１流路に連通する第２流路を形成した押出ヘッドにおける調心用治具であって、
前記ニップル取付部に着脱可能なニップル心出し部と、このニップル心出し部との位置関係で前記ダイスホルダを心出し位置決めすべく前記ダイスホルダのダイス装着部に挿脱可能なダイスホルダ位置決め部と、を備えてなることを特徴とするものである。
【００１７】
また、この発明の押出ヘッドにおける調心用治具は、前記押出ヘッドにおける調心用治具において、前記ニップル取付部に、前記ニップル部を位置決め保持するテーパ面を備えたニップルホルダを取り付けると共に、前記ニップル心出し部を前記テーパ面に挿脱可能に設けてなることが好ましい。
【００１８】
この発明の押出ヘッドにおける調心方法は、被覆樹脂を導入する第１流路を備えた押出ヘッド本体部のニップル取付部にニップル部を着脱可能に取り付け、ダイス部をダイス装着部に着脱可能に装着したダイスホルダを前記押出ヘッド本体部に取り付けることによって、前記ニップル部とその前方側に位置するダイス部とから前記第１流路に連通する第２流路を形成した押出ヘッドにおける調心方法において、
前記押出ヘッド本体部の内部に調心リングを調心可能に取り付け、この調心リングの内周に前記ダイスホルダの外周を嵌脱可能に位置決め装着し、
最初は、前記ニップル部から送出される心線に第２流路で導入される被覆樹脂を被覆しながら、前記調心リングを調整して調心し、
次回以降に押出ヘッドを交換するときは、前記ダイスホルダを押出ヘッド本体部から取り外してダイス部を交換すると共に前記ニップル部を交換した後、前記ダイスホルダを調心リングに嵌入して位置決め装着することを特徴とするものである。
【００１９】
この発明の押出ヘッドにおける調心方法は、被覆樹脂を導入する第１流路を備えた押出ヘッド本体部のニップル取付部にニップル部を着脱可能に取り付け、ダイス部をダイス装着部に着脱可能に装着したダイスホルダを前記押出ヘッド本体部に取り付けることによって、前記ニップル部とその前方側に位置するダイス部とから前記第１流路に連通する第２流路を形成した押出ヘッドにおける調心方法において、
前記押出ヘッド本体部の内部に調心リングを調心可能に取り付け、この調心リングの内周に前記ダイスホルダの外周を嵌脱可能に位置決め装着し、
前記ニップル取付部に着脱可能なニップル心出し部と、このニップル心出し部との位置関係で前記ダイスホルダを心出し位置決めすべく前記ダイスホルダのダイス装着部に挿脱可能なダイスホルダ位置決め部と、を備えた調心用治具を用いて、前記ニップル心出し部を前記ニップル取付部に装着すると共に前記ダイスホルダ位置決め部をダイスホルダのダイス装着部に挿入せしめることにより、ダイスホルダを位置決めした後、前記調心リングを前記押出ヘッド本体部の内部に位置固定して調心し、
前記調心用治具を取り外した後に、前記ニップル取付部にニップル部を装着すると共に前記ダイスホルダのダイス装着部にダイス部を装着することを特徴とするものである。
【００２０】
また、この発明の押出ヘッドにおける調心方法は、前記押出ヘッドにおける調心方法において、次回以降に押出ヘッドを交換するときは、前記ダイスホルダを押出ヘッド本体部から取り外してダイス部を交換すると共に前記ニップル部を交換した後、前記ダイスホルダを調心リングに嵌入して位置決め装着することが好ましい。
【００２１】
また、この発明の押出ヘッドにおける調心方法は、前記押出ヘッドにおける調心方法において、前記ニップル取付部に、前記ニップル部を位置決め保持するテーパ面を備えたニップルホルダを取り付けたときは、前記調心用治具のニップル心出し部が前記テーパ面に挿脱可能であることが好ましい。
【発明の効果】
【００２２】
以上のごとき課題を解決するための手段から理解されるように、この発明によれば、押出ヘッド本体部にダイスホルダを位置決め装着する調心リングを設けたので、最初に前記調心リングを一且調心するだけで、次以降の押出ヘッド交換時には、ニップル部とダイス部を交換した後に、前記ダイスホルダを調心リングに嵌入するだけで調心された状態となる。したがって、押出ヘッドを交換する都度、調心作業を行う必要がなくなる。その結果、調心作業が短時間で済むと共に調心の熟練を要さず、素人でも容易に行うことができる。
【００２３】
また、調心用治具を用いた場合は、最初の押出ヘッドを装着する時に、被覆樹脂を流しながら調心リングの心出しをする必要がなくなるので、より一層効率よく調心できる。次以降の押出ヘッド交換時には、調心用治具を用いることなく、前述した場合と同様にダイスホルダを調心リングに嵌入するだけで調心された状態にできる。
【発明を実施するための最良の形態】
【００２４】
以下、この発明の実施の形態について図面を参照して説明する。
【００２５】
図１及び図２を参照するに、この実施の形態に係る押出ヘッド１は、心線を通過せしめる心線挿通穴３と、この心線挿通穴３の前端部にニップル部５を位置決め装着するニップル取付部７と、溶融した被覆樹脂をニップル取付部７の外周側に導入する第１流路９と、を備えた押出ヘッド本体部１１が設けられている。
【００２６】
また、ニップル部５は前記心線を通過せしめるニップル孔１３を備えており、このニップル部５はニップルホルダ１５を介して前記ニップル取付部７にねじ部１７で装着されて所定位置に位置決めされる。より詳しくは、前記ニップルホルダ１５は、その中心部に前端に向けて広がる方向のテーパ面１９を有しており、ニップルホルダ１５の後端部には前記ニップル取付部７に螺合するねじ部１７が設けられている。また、前記ニップル部５の後部の外周面が後端に向けて細くなる方向のテーパ面２１が形成されており、このテーパ面２１は前記ニップルホルダ１５のテーパ面１９に嵌合可能である。
【００２７】
また、前記押出ヘッド本体部１１の前端には、ダイスヘッド本体部２３が複数のボルト２５で一体的に取り付けられており、このダイスヘッド本体部２３には、前記ニップル部５の前方側（図１において右方側）に位置して前記心線に被覆樹脂を被覆するダイス孔２７を備えたダイス部２９と、このダイス部２９を位置決め装着するダイスホルダ３１と、このダイスホルダ３１を調心する調心リング３３と、この調心リング３３を外周の円周方向にほぼ均等に少なくとも３箇所以上（この実施の形態では４箇所）でニップル孔１３の中心に向けて位置決めするために、ダイスヘッド本体部２３にその円周方向にほぼ均等に少なくとも３箇所以上（この実施の形態では４箇所）に配置された調心用部材としての例えば螺合した４本の調心ボルト３５と、が備えられている。
【００２８】
なお、前記ニップルホルダ１５及びニップル部５の各外周面と前記ダイス部２９の内周面の間には前記第１流路９に連通して第１流路９から流れる被覆樹脂をダイス孔２７に流入せしめる第２流路３７が形成される。
【００２９】
より詳しくは、ダイスヘッド本体部２３は筒形状をなしており、ダイスヘッド本体部２３の後部の内周面は調心リング３３が僅かな間隙を介して嵌入可能に構成されており、ダイスヘッド本体部２３の前部の内周には調心リング３３の前端を当接可能なストッパ部３９が突出している。
【００３０】
したがって、調心リング３３はダイスヘッド本体部２３の内周面に後端側から挿入されて前記ストッパ部３９に当接した状態で前端が位置決めされ、さらに調心リング３３を常時前記ストッパ部３９に当接させるための緩衝材リング４１がダイスヘッド本体部２３の内周面に挿入されており、調心リング３３はダイスヘッド本体部２３に螺合した４本の調心ボルト３５で調心可能となっている。
【００３１】
また、調心リング３３の外周面は長手方向に同径であるが、調心リング３３の内周面は前端に向けて広がる方向のテーパ面４３に形成されている。
【００３２】
また、前記ダイスホルダ３１の後部側の外周面が後端に向けて細くなる方向のテーパ面４５が形成されており、前記テーパ面４５は前記調心リング３３のテーパ面４３に嵌合可能である。さらに、ダイスホルダ３１の前端部には、ダイスヘッド本体部２３の前端面に突当て位置決めするためのフランジ面４７を備えたフランジ部４９が外周方向に突設されている。さらに、前記フランジ部４９には、この実施の形態では円周方向にほぼ均等の間隔で４箇所のボルト穴５１が設けられている。ダイスホルダ３１は前記ボルト穴５１にボルト５３を挿通して前記ダイスヘッド本体部２３の前端面に設けたねじ穴５５に螺合して固定されることになる。
【００３３】
また、前記ダイスホルダ３１の内周面にはダイス装着部が形成されており、このダイス装着部としては例えば後部が大径部５７であり、段付部５９を介して前部が小径部６１に形成されている。一方、前記ダイス部２９の外周面は、その後部がダイスホルダ３１の大径部５７の内周面に嵌合可能な大径部６３であり、段付部６５を介して前部がダイスホルダ３１の小径部６１の内周面に嵌合可能な小径部６７に形成されている。したがって、ダイス部２９の外周面がダイスホルダ３１の内周面に嵌合された状態で前記段付部５９、６５で所定位置に位置決めされる。
【００３４】
したがって、上記のように構成された状態では、心線が心線挿通穴３の中を通過してニップル部５のニップル孔１３から前方へ送り出される。これと同時に、溶融した被覆樹脂が第１流路９から第２流路３７を経てダイス部２９のダイス孔２７から前方に押し出されて、前記被覆樹脂が心線の外周に被覆されることになる。
【００３５】
このとき、被覆樹脂が前記第２流路３７を通過する際に、被覆樹脂の押圧力が第２流路３７の内面にかかるので、この押圧力はダイス部２９を前方に向けて押しやると共にニップル部５を後方に向けて押しやる。そのため、ダイス部２９はダイスホルダ３１の段付部６５により押さえられて被覆樹脂の押出方向において常時所定位置に位置すると共に、ニップル部５もニップルホルダ１５のテーパ面１９に嵌合した状態で被覆樹脂の押出方向と逆方向において常時所定位置に位置することになる。
【００３６】
このとき、被覆樹脂が心線の円周方向に均一な厚さで被覆されるためには、ダイス部２９のダイス孔２７がニップル部５のニップル孔１３と同じ中心位置となるように調心されている必要がある。
【００３７】
ニップル部５とダイス部２９との調心を行う際の一つの実施の形態の調心方法としては、調心リング３３がダイスヘッド本体部２３の内部に僅かな間隙を介して４本の調心ボルト３５で保持されているので、最初の一回だけは、被覆樹脂を流しながら４本の調心ボルト３５で調整してニップル孔１３に対するダイス部２９のダイス孔２７の位置の調心が行われる。
【００３８】
なお、心線や被覆樹脂の種類を切り換えるために、新たな押出ヘッド１に交換する場合、例えば新たなニップル部５とダイス部２９に交換するには、再び上述した４本の調心ボルト３５による調心作業を行う必要がなくなる。
【００３９】
上記の新たな押出ヘッド１に交換する手順について説明すると、ダイスホルダ３１はボルト５３を緩めてダイスヘッド本体部２３から取り外されるが、ダイスホルダ３１の外周後部のテーパ面４５が調心リング３３の内周のテーパ面４３から離反するように取り外される。この取り外されたダイスホルダ３１のダイス部２９は新たなダイス部２９と交換される。
【００４０】
一方、ダイスヘッド本体部２３は前端側が開口した状態となるので、ニップル部５がニップルホルダ１５のテーパ面１９から簡単に抜脱され、新たなニップル部５に交換される。
【００４１】
その後、図３に示されているように、上記の新たなダイス部２９を装着したダイスホルダ３１がダイスヘッド本体部２３の内部に挿入されるとき、ダイスホルダ３１の外周後部のテーパ面４５が調心リング３３の内周のテーパ面４３へ嵌入された後、ダイスホルダ３１がダイスヘッド本体部２３の前端面にボルト５３で固定されて図１の状態になる。
【００４２】
前述したように、調心リング３３はすでに最初に調心された状態であるので、ダイス部２９のダイス孔２７は自動的にニップル部５のニップル孔１３と同じ中心位置となるため、改めて調心する必要がない。上述したように調心リング３３が最初に一旦調心されただけで、次以降は他の異なる押出ヘッド１に何度交換されても、従来のように押出ヘッド１の交換の都度に調心する必要が全くなくなる。その結果、調心作業が短時間で済むと共に調心の熟練を要さず、押出ヘッド１の交換作業は素人でも容易に行うことができる。
【００４３】
図４を参照するに、別の実施の形態の調心方法としては、最初にニップル部５とダイス部２９との調心を行う際に、調心用治具６９を用いて行う方法である。
【００４４】
調心用治具６９は、ニップルホルダ１５のテーパ面１９に嵌合可能なテーパ面７１を備えたニップル心出し部７３と、このニップル心出し部７３との位置関係で前記ダイスホルダ３１を心出し位置決めするために前記ニップル心出し部７３の中心と同心線上を中心としてダイスホルダ３１のダイス装着部としての小径部６１に嵌合可能な円周面を備えたダイスホルダ位置決め部７５と、調心用治具６９に一体的に取り付けた取っ手部７７と、から構成されている。
【００４５】
上記の調心用治具６９を用いて押出ヘッド１の調心を行うには、図４に示されているように、調心リング３３と緩衝材リング４１がダイスヘッド本体部２３の内周面に後端側から挿入された状態で、前記ダイスヘッド本体部２３が押出ヘッド本体部１１の前端にボルト２５で取り付けられる。このとき、４本の調心ボルト３５は緩められており、前記調心リング３３はダイスヘッド本体部２３の内周面に僅かな間隙分だけフリーの状態にある。
【００４６】
ダイスヘッド本体部２３の前端側が開口した状態となるので、前記調心用治具６９がニップル心出し部７３のテーパ面７１をニップルホルダ１５のテーパ面１９に嵌入することにより、調心用治具６９の位置決めが行われる。
【００４７】
ダイスホルダ３１がダイスヘッド本体部２３の内部に挿入され、図４に示されているように、ダイスホルダ３１の外周後端のテーパ面４５が調心リング３３の内周のテーパ面４３へ嵌入されると共に、ダイスホルダ３１の内周面の小径部６１に前記調心用治具６９のダイスホルダ位置決め部７５の外周面が嵌入される。その結果、ダイスホルダ３１は調心用治具６９のダイスホルダ位置決め部７５によって心出しされるので、調心リング３３が自動的にダイスホルダ３１の外周面のテーパ面４５によって心出し（調心）されることになる。
【００４８】
この状態で、図５に示されているように、ダイスホルダ３１がダイスヘッド本体部２３の前端面にボルト５３で固定されると、調心リング３３の調心状態が安定する。上記の状態で４本の調心ボルト３５を締め付けることにより、調心リング３３の調心された状態が保持されることとなる。
【００４９】
したがって、前述した実施の形態で説明したように、調心リング３３が調心された状態を利用して、何回でも押出ヘッド１を交換することが可能となる。
【００５０】
すなわち、最初の押出ヘッド１を装着するには、図５において調心用治具６９がニップルホルダ１５のテーパ面１９から抜脱されると共にダイスホルダ３１がニップルホルダ１５のテーパ面１９が調心リング３３の内周面のテーパ面４３から抜脱されてから、ニップル部５がニップルホルダ１５のテーパ面１９に嵌入されて所定位置に位置決めされる。
【００５１】
その後、前述した実施の形態で説明した図３に示されているように、ダイス部２９を装着したダイスホルダ３１がダイスヘッド本体部２３の内部に挿入されるとき、ダイスホルダ３１の外周後端のテーパ面４５が調心リング３３の内周のテーパ面４３へ嵌入された後、ダイスホルダ３１がダイスヘッド本体部２３の前端面にボルト５３で固定される。
【００５２】
このとき、調心リング３３はすでに調心された状態であるので、ダイス部２９のダイス孔２７は自動的にニップル部５のニップル孔１３と同じ中心位置に調心されることとなる。したがって、この実施の形態の調心方法では、前述した実施の形態のように最初の調心で被覆樹脂を流しながら調心リング３３の心出しをする必要もなくなるので、押出ヘッド１の調心をより一層効率よく行うことができる。
【００５３】
なお、上記のように調心用治具６９を用いて調心が行われた場合であっても、実際に被覆樹脂の被覆状態を確認したときに、被覆樹脂の厚さを微調整したい場合は、前述した実施の形態の調心方法と同様に、被覆樹脂を流しながら調心リング３３の心出し調整することができる。
【００５４】
なお、この発明は前述した実施の形態に限定されることなく、適宜な変更を行うことによりその他の態様で実施し得るものである。前述した実施の形態では、ニップル部５がニップルホルダ１５を介してニップル取付部７に装着される場合について説明したが、ニップルホルダ１５を用いずに、ニップル部５がニップル取付部７に直接装着される場合であっても適用されるものである。この場合は、前述した実施の形態の調心用治具６９のニップル心出し部７３がニップル取付部７に直接装着されるように、例えばねじ部１７が設けられることによって前述した実施の形態と同様の作用で容易に調心可能となる。
【図面の簡単な説明】
【００５５】
【図１】この発明の実施の形態の押出ヘッドの構成を示す断面図で、図２の矢視Ｉ−Ｉ線の断面図である。
【図２】図１の右側面図である。
【図３】図１の押出ヘッドの組み付け状態を示す状態説明図である。
【図４】調心用治具を用いて図１の押出ヘッドを組み付ける状態を示す状態説明図である。
【図５】調心用治具を用いて図１の押出ヘッドを組み付ける状態を示す状態説明図である。
【図６】従来の押出ヘッドの構成を示す断面図で、図７の矢視ＶＩ−ＶＩ線の断面図である。
【図７】図６の右側面図である。
【符号の説明】
【００５６】
１  押出ヘッド
５  ニップル部
７  ニップル取付部
９  第１流路
１１  押出ヘッド本体部
１３  ニップル孔
１５  ニップルホルダ
１９  テーパ面
２１  テーパ面
２３  ダイスヘッド本体部
２７  ダイス孔
２９  ダイス部
３１  ダイスホルダ
３３  調心リング
３５  調心ボルト（調心用部材）
３７  第２流路
４３  テーパ面
４５  テーパ面
５７  大径部（ダイスホルダ３１のダイス装着部）
５９  段付部（ダイスホルダ３１のダイス装着部）
６１  小径部（ダイスホルダ３１のダイス装着部）
６９  調心用治具
７１  テーパ面
７３  ニップル心出し部
７５  ダイスホルダ位置決め部
【図１】
2006035824.tif 000003
【図２】
2006035824.tif 000004
【図３】
2006035824.tif 000005
【図４】
2006035824.tif 000006
【図５】
2006035824.tif 000007
【図６】
2006035824.tif 000008
【図７】
2006035824.tif 000009